(57)【要約】      （修正有）【課題】制御部への塵などの付着を抑えつつ、表示部および制御部を効率良く冷却できる表示装置を提供する。【解決手段】表示部１と制御部２とを備える表示装置１００に、第１天井部３１、第２天井部３２、第１連結部、および気流発生部３６を含む冷却部３を設け、第１天井部３１を、第２天井部３２と比較して表示部１の非表示面からの距離が短くなり、かつ、第１通風路の通風面積が第２通風路の通風面積よりも小さくなるように形成し、気流発生部３６によって、第２通風路から第１通風路へ向かう気流を発生させ、第１通風路内の空気および第２通風路内の空気が外気と入れ換わるように構成し、制御部２を、第１天井部３１の制御部設置面に設ける。【選択図】図１
2012042762.tif 000002
【特許請求の範囲】
【請求項１】
画像を表示する表示面を有する表示部と、
前記表示部の動作を制御する制御部と、
前記表示部における前記表示面とは反対側の面である非表示面に設けられる冷却部であって、第１天井部、第２天井部、連結部、および気流発生部を含む冷却部とを備え、
前記第１天井部は、前記非表示面とともに所定の通風面積を有する第１通風路を形成するように設けられ、
前記第２天井部は、前記非表示面とともに所定の通風面積を有する第２通風路を形成するように設けられ、
前記第１天井部は、前記第２天井部と比較して前記非表示面からの距離が短くなり、かつ、前記第１通風路の通風面積が前記第２通風路の通風面積よりも小さくなるように設けられ、
前記連結部は、前記第１通風路と前記第２通風路とが連通するように、前記第１天井部と前記第２天井部とを連結するように設けられ、
前記気流発生部は、前記第２通風路から前記第１通風路へ向かう気流を発生させることで、前記第１通風路内の空気および前記第２通風路内の空気を外気と入れ換えるように設けられ、
前記制御部は、前記第１天井部における前記第１通風路に臨む面とは反対側の面である制御部設置面に設けられることを特徴とする表示装置。
【請求項２】
前記冷却部は、外気に開放される吸込口と吐出口とがそれぞれ形成され、かつ、該吸込口および該吐出口以外では、前記非表示面との間の空間がほぼ密閉され、該吸込口および該吐出口がそれぞれ前記冷却部における１つの面に形成されるダクト構造の冷却部であり、
前記吸込口は前記冷却部において前記第２通風路側に形成され、前記吐出口は前記冷却部において前記第１通風路側に形成されることを特徴とする請求項１に記載の表示装置。
【請求項３】
前記ダクト構造の冷却部を複数備え、
前記制御部は、複数のダクト構造の冷却部における各制御部設置面に亘って設けられることを特徴とする請求項２に記載の表示装置。
【請求項４】
前記吐出口から前記表示部までの距離をＰ［ｃｍ］とし、前記吐出口の開口面積をＱ［ｃｍ２］とし、前記吐出口の開口周囲長をＲ［ｃｍ］とするとき、
前記冷却部は、下記式（１）を満たすように構成されることを特徴とする請求項２または３に記載の表示装置。
Ｐ＞Ｑ／Ｒ                                                      …（１）
【請求項５】
前記冷却部は、前記第２通風路から前記第１通風路へ向かう方向において、前記表示部の該方向下流側端部と前記第１天井部の該方向下流側端部との距離が、該方向における前記表示部の長さの０％以上２０％以下となるように構成されることを特徴とする請求項１〜４のいずれか１つに記載の表示装置。
【発明の詳細な説明】
【技術分野】
【０００１】
本発明は、液晶表示装置、プラズマ表示装置などの表示装置に関する。
【背景技術】
【０００２】
液晶表示装置、プラズマ表示装置などの表示装置は、画像を表示する表示部と、表示部に画像を表示するための制御を行う回路基板（制御部）とを備えている。表示装置は、制御部による制御により表示部が発光することで、該表示部の表面に画像を表示するので、表示部の温度が上昇し易い。そして、温度の上昇した表示部によって熱せられた空気によって、制御部の温度も上昇する。また、制御部自身も制御の際に熱を生じる。したがって、表示装置には、表示部および制御部を冷却する機構を設ける必要がある。
【０００３】
特許文献１には、制御部を冷却する機構として、特許文献１の図３に示すように、冷却ファンを設け、制御部の周囲の温かい空気を外気と入れ換える構成が記載されている。
【０００４】
また特許文献２には、表示部および制御部を冷却する機構として、特許文献２の図１に示すように、表示部の裏面側に一定の間隔を空けてパネルを設け、表示部の裏面とパネルとの間の温かい空気を、ファンによって外気と入れ換える構成が記載されている。
【先行技術文献】
【特許文献】
【０００５】
【特許文献１】特開２００３−１７３１４７号公報
【特許文献２】特開平１１−２９６０９４号公報
【発明の概要】
【発明が解決しようとする課題】
【０００６】
特許文献１に記載の表示装置には、流入した外気が制御部に直接触れるので、外気に含まれる塵などが制御部中の配線や電子回路に付着し易いという課題がある。配線や電子回路に塵が付着すると制御部がショートしてしまう可能性がある。
【０００７】
特許文献２に記載の表示装置では、パネルにおける表示部には対向しない側の面、すなわち、パネルの裏面に、制御部が設けられている。したがって、特許文献１に記載の表示装置とは異なり、外気に含まれる塵が制御部に付着することは抑えられている。しかしながら、以下に示すように、特許文献２に記載の構成には、制御部を効率良く冷却することができないという課題がある。
【０００８】
上述したように、制御部はそれ自身が熱を生じる。したがって、表示部の裏面とパネルとの間の空気のうち、制御部近傍の空気は、制御部近傍以外の空気よりも温度が上昇し易くなっている。特許文献２に記載の表示装置は、表示部とパネルとの距離が一定であるので、制御部近傍であっても、制御部近傍以外であっても、表示部の裏面とパネルとの間の空気の流速は一定であり、制御部近傍の空気を効率良く入れ換えることができない。その結果、制御部を効率良く冷却することができない。
【０００９】
本発明は、上述した課題を解決するためのものであり、制御部への塵などの付着を抑えつつ、表示部および制御部を効率良く冷却できる表示装置を提供することを目的とする。
【課題を解決するための手段】
【００１０】
本発明は、画像を表示する表示面を有する表示部と、
前記表示部の動作を制御する制御部と、
前記表示部における前記表示面とは反対側の面である非表示面に設けられる冷却部であって、第１天井部、第２天井部、連結部、および気流発生部を含む冷却部とを備え、
前記第１天井部は、前記非表示面とともに所定の通風面積を有する第１通風路を形成するように設けられ、
前記第２天井部は、前記非表示面とともに所定の通風面積を有する第２通風路を形成するように設けられ、
前記第１天井部は、前記第２天井部と比較して前記非表示面からの距離が短くなり、かつ、前記第１通風路の通風面積が前記第２通風路の通風面積よりも小さくなるように設けられ、
前記連結部は、前記第１通風路と前記第２通風路とが連通するように、前記第１天井部と前記第２天井部とを連結するように設けられ、
前記気流発生部は、前記第２通風路から前記第１通風路へ向かう気流を発生させることで、前記第１通風路内の空気および前記第２通風路内の空気を外気と入れ換えるように設けられ、
前記制御部は、前記第１天井部における前記第１通風路に臨む面とは反対側の面である制御部設置面に設けられることを特徴とする表示装置である。
【００１１】
また本発明は、前記冷却部は、外気に開放される吸込口と吐出口とがそれぞれ形成され、かつ、該吸込口および該吐出口以外では、前記非表示面との間の空間がほぼ密閉され、該吸込口および該吐出口がそれぞれ前記冷却部における１つの面に形成されるダクト構造の冷却部であり、
前記吸込口は前記冷却部において前記第２通風路側に形成され、前記吐出口は前記冷却部において前記第１通風路側に形成されることを特徴とする。
【００１２】
また本発明は、前記ダクト構造の冷却部を複数備え、
前記制御部は、複数のダクト構造の冷却部における各制御部設置面に亘って設けられることを特徴とする。
【００１３】
また本発明は、前記吐出口から前記表示部までの距離をＰ［ｃｍ］とし、前記吐出口の開口面積をＱ［ｃｍ２］とし、前記吐出口の開口周囲長をＲ［ｃｍ］とするとき、
前記冷却部は、下記式（１）を満たすように構成されることを特徴とする。
Ｐ＞Ｑ／Ｒ                                                      …（１）
【００１４】
また本発明は、前記冷却部は、前記第２通風路から前記第１通風路へ向かう方向において、前記表示部の該方向下流側端部と前記第１天井部の該方向下流側端部との距離が、該方向における前記表示部の長さの０％以上２０％以下となるように構成されることを特徴とする。
【発明の効果】
【００１５】
本発明によれば、気流発生部によって、第１通風路および第２通風路内の空気が外気と交換されることで、制御部が間接的に冷却される。したがって、外気に含まれる塵などが制御部に付着することを、抑えることができる。
【００１６】
また、本発明では、第１通風路の通風面積が第２通風路の通風面積よりも小さく構成されているので、第１通風路内の空気の流速は、第２通風路内よりも速くなっている。したがって、第１通風路内の空気を効率良く外気と入れ換えることができ、その結果、表示部および制御部を効率良く冷却することができる。
【００１７】
また本発明によれば、冷却部はダクト構造を有している。したがって、冷却部によって表示装置全体の強度を向上させつつ、該冷却部によって表示装置を冷却することができる。
【００１８】
また本発明によれば、ダクト構造の冷却部を複数備えている。したがって、表示装置の設置方向にかかわらず、表示部および制御部を効率良く冷却することができる。
【００１９】
また本発明によれば、冷却部は、上記式（１）を満たすように構成される。これによって、吐出口近傍の空間が確保され、気流発生部による風量を充分に得ることができる。その結果、冷却部は、表示部および制御部を、より効率良く冷却することができる。
【００２０】
また本発明によれば、第２通風路から第１通風路へ向かう方向において、表示部の該方向下流側端部と第１天井部の該方向下流側端部との距離が、該方向における表示部の長さの０％以上２０％以下となるように、冷却部が構成される。これによって、表示部の第２通風路から第１通風路へ向かう方向における下流側端部を、より効率良く冷却することができる。
【図面の簡単な説明】
【００２１】
【図１】表示装置１００を示す模式図である。
【図２】表示装置１００の断面を模式的に示す図である。
【図３】表示装置２００を示す模式図である。
【図４】表示装置２００の断面を模式的に示す図である。
【図５】表示装置３００を示す模式図である。
【図６】表示装置４００を示す模式図である。
【図７】表示装置４００の断面を模式的に示す図である。
【図８】表示装置５００を示す模式図である。
【図９】表示装置５００の断面を模式的に示す図である。
【図１０】表示装置６００を示す模式図である。
【発明を実施するための形態】
【００２２】
以下に、本発明の第１実施形態である表示装置１００について説明する。図１は、表示装置１００を示す模式図である。図１において、矢符Ｘは、表示装置１００に含まれる表示部１の長手方向のうちの一方向を示している。矢符Ｙは、表示部１の幅方向のうちの一方向を示している。矢符Ｚは、表示部１の厚さ方向のうちの一方向を示している。図２は、表示装置１００の断面を模式的に示す図である。図２は、図１に示す切断面線Ａ−Ａで表示装置１００を切断した場合を想定したものである。切断面線Ａ−Ａは、表示部１を矢符Ｘ方向において２等分する面を示す線である。
【００２３】
表示装置１００は、表示部１と、制御部２と、冷却部３とを備える。表示部１は、画像を表示する表示面１Ａを有している。表示部１において、表示面１Ａとは反対側の面である非表示面１Ｂには、冷却部３が設けられる。表示部１は、液晶表示パネル、プラズマ表示パネルなどの従来公知の表示パネルから構成される。
【００２４】
制御部２は、表示部１と電気的に接続され、制御部２内の記憶回路に記憶されているデータに基づいて表示部１を制御し、表示面１Ａに画像を表示させる。本実施形態では、制御部２は、後述する気流発生部３６の動作も制御する。
【００２５】
制御部２は、たとえば、平板状の配線基板と、該配線基板の片面または両面に実装される電子回路とからなる。非表示面１Ｂと制御部２との間に、冷却部３が設けられる。
【００２６】
冷却部３は、第１天井部３１と、第２天井部３２と、第３天井部３３と、第１連結部３４と、第２連結部３５と、気流発生部３６と、側部３７とから構成される。
【００２７】
第１天井部３１は、非表示面１Ｂとともに所定の通風面積Ｓ１を有する第１通風路４１を形成する部材である。ここで、通風面積Ｓ１とは、第１通風路４１を、矢符Ｘ方向および矢符Ｚ方向に平行な面で切断したときの断面積である。本実施形態の第１天井部３１は、非表示面１Ｂに対して主面が平行となるように設けられる平板状部材である。第１天井部３１における第１通風路４１に臨む面とは反対側の面である制御部設置面３１Ａに、制御部２が設けられる。
【００２８】
第２天井部３２は、非表示面１Ｂとともに所定の通風面積Ｓ２を有する第２通風路４２を形成する部材である。ここで、通風面積Ｓ２とは、第２通風路４２を、矢符Ｘ方向および矢符Ｚ方向に平行な面で切断したときの断面積である。本実施形態の第２天井部３２は、非表示面１Ｂに対して主面が平行となるように設けられる平板状部材である。なお、本実施形態は、第１通風路４１と第２通風路４２とにおいて、矢符Ｘ方向の長さが等しくなるように構成されている。
【００２９】
第３天井部３３は、非表示面１Ｂとともに第３通風路４３を形成する部材である。なお、本実施形態は、第１通風路４１と第３通風路４３とにおいて、矢符Ｘ方向の長さが等しくなるように構成されている。
【００３０】
本実施形態の第３天井部３３は、非表示面１Ｂに対して主面が平行となるように設けられる平板状部材である。第３天井部３３には、気流発生部３６を介して外気に開放される吐出口３３Ａが形成される。本実施形態では、冷却部３における１つの面に、吐出口３３Ａが１箇所形成されている。
【００３１】
第１連結部３４は、第１天井部３１の矢符Ｙ方向上流側端部と、第２天井部３２の矢符Ｙ方向下流側端部とを連結する部材である。第１連結部３４によって、第１通風路４１と第２通風路４２とが連通する。本実施形態では、第１連結部３４は、非表示面１Ｂに近接する面が、該非表示面１Ｂに対して傾斜するように設けられる。これによって、第２通風路４２から第１通風路４１への空気の流れが滑らかになる。
【００３２】
第２連結部３５は、第１天井部３１の矢符Ｙ方向下流側端部と、第３天井部３３の矢符Ｙ方向上流側端部とを連結する部材である。第２連結部３５によって、第１通風路４１と第３通風路４３とが連通する。
【００３３】
側部３７は、第１天井部３１、第２天井部３２、および第３天井部３３の、矢符Ｘ方向両端部に設けられ、該両端部と非表示面１Ｂとを接続する平板状部材である。側部３７は、第２天井部３２の矢符Ｙ方向上流側端部と、第３天井部３３の矢符Ｙ方向下流側端部とには設けられていない。すなわち、本実施形態では、冷却部３における２つの面に、外気を取り込むための吸込口が形成されていることになる。
【００３４】
側部３７は、第１天井部３１、第２天井部３２、および第３天井部３３と、非表示面１Ｂとを、ほぼ隙間無く接続している。したがって、第１通風路４１、第２通風路４２、および第３通風路４３からなる空間は、吐出口３３Ａおよび冷却部３の矢符Ｙ方向両端部における吸込口以外では、ほぼ密閉されている。
【００３５】
第１天井部３１、第２天井部３２、第３天井部３３、第１連結部３４、第２連結部３５、および側部３７は、熱伝導率が高く、かつ、剛性が高い材料から形成されることが好ましく、たとえば、炭素鋼板やアルミニウム板などの金属材料から形成される。金属材料から形成される場合、１枚の板金を用いて、折り曲げ、ビス止め、スポット溶接などによって、一体的に形成されることが好ましい。これによって、冷却部３の強度が向上する。
【００３６】
また、第１天井部３１が金属材料から形成される場合、必要に応じて、制御部設置面３１Ａと制御部２との間に、絶縁部材を設けてもいい。絶縁部材としては、熱伝導率が高いシリコングリス、シリコンシートなどが挙げられる。
【００３７】
気流発生部３６は、吐出口３３Ａの矢符Ｚ方向下流側に設けられ、第２通風路４２から第１通風路４１へ向かう気流を発生させることで、第１通風路４１内の空気および第２通風路４２内の空気を外気と入れ換える装置である。気流発生部３６としては、軸と軸に接続される羽根とを有し、軸が回転することで流体を移動させる扇風機を用いることができる。
【００３８】
本実施形態では、気流発生部３６によって、冷却部３の矢符Ｙ方向上流側端部から、第２通風路４２内へ外気が流入し、第２通風路４２内の空気が第１通風路４１、第３通風路４３の順に矢符Ｙ方向へ移動し、吐出口３３Ａから排出される。また本実施形態では、気流発生部３６によって、冷却部３の矢符Ｙ方向下流側端部から、第３通風路４３内へ外気が流入し、第３通風路４３内の空気が吐出口３３Ａから排出される。
【００３９】
このように、表示装置１００は、表示部１と制御部２との間に設けられる冷却部３において、気流発生部３６によって、第１通風路４１、第２通風路４２、および第３通風路４３内の空気が外気と交換される。そして、第１通風路４１、第２通風路４２、および第３通風路４３内に流入した外気は、表示部１の非表示面１Ｂから熱を奪うとともに、制御部設置面３１Ａを介して制御部２から熱を奪う。すなわち、制御部２は、冷却部３によって間接的に冷却される。したがって、外気に含まれる塵などが制御部２に付着することを、抑えることができる。
【００４０】
なお、本実施形態では、気流発生部３６は、制御部２によって制御されている。制御部２は、表示部１に画像を表示させるのと同時に気流発生部３６を駆動してもよいし、表示部１に画像を表示させてから所定時間経過後に気流発生部３６を駆動してもよい。また、第１通風路４１内に温度センサを設けて、第１通風路４１内の温度が所定温度以上になったときに、制御部２が気流発生部３６を駆動するように構成されてもよい。
【００４１】
表示装置１００は、上述した構成に加えて、第１天井部３１の非表示面１Ｂからの距離Ｌ１が、第２天井部３２の非表示面１Ｂからの距離Ｌ２よりも短くなるように構成されている。距離Ｌ１は、好ましくは、０．５ｃｍ以上１．５ｃｍ以下であり、距離Ｌ２は、好ましくは、１．０ｃｍ以上４．０ｃｍ以下である。
【００４２】
また、表示装置１００は、第１通風路４１の通風面積Ｓ１が第２通風路４２の通風面積Ｓ２よりも小さくなるように構成されている。より好ましくは、第１通風路４１の通風面積Ｓ１に対する第２通風路４２の通風面積Ｓ２の比Ｓ１／Ｓ２は、０．２以上０．８以下である。なお、本実施形態は、第１通風路４１と第２通風路４２とにおいて、矢符Ｘ方向の長さが等しくなるように構成されているので、比Ｓ１／Ｓ２は、距離Ｌ１／距離Ｌ２と同じ値になる。このように構成されることで、表示装置１００は、制御部２を効率良く冷却することができる。
【００４３】
一般的に、表示部１は画像を表示するのに伴って熱を生じ、制御部２は制御に伴って熱を生じる。したがって、表示部１と制御部２とによって挟まれる空間である第１通風路４１は、第２通風路４２によりも温度が上昇し易くなっている。よって、第１通風路４１内の空気を効率良く外気と入れ換えなくては、制御部２を効率良く冷却することができない。
【００４４】
表示装置１００は、第１通風路４１の通風面積Ｓ１が第２通風路４２の通風面積Ｓ２よりも小さく構成されているので、第１通風路４１内の空気の流速は、第２通風路４２内よりも速くなっている。したがって、第１通風路４１内の空気を効率良く外気と入れ換えることができ、その結果、制御部２を効率良く冷却することができる。
【００４５】
なお、本発明と異なり、通風面積Ｓ１だけでなく通風面積Ｓ２も小さくした場合、第１通風路４１および第２通風路４２全体に内包される空気の量が少なくなるので、流入した外気が、第２通風路４２内で、または第１通風路４１の途中で、熱平衡に達してしまう。熱平衡に達した空気は、制御部２から熱を奪うことができないので、制御部２を効率良く冷却することができない。
【００４６】
表示装置１００は、より好ましくは、吐出口３３Ａから表示部１までの距離をＰ［ｃｍ］とし、吐出口３３Ａの開口面積をＱ［ｃｍ２］とし、吐出口３３Ａの開口周囲長をＲ［ｃｍ］とするときに、下記式（１）を満たすように構成される冷却部３を備える。なお、吐出口３３Ａが円形の場合は、開口面積Ｑは円の面積となり、開口周囲長は円の円周となる。
Ｐ＞Ｑ／Ｒ                                                      …（１）
【００４７】
このように構成されることで、吐出口３３Ａ近傍の空間が確保され、気流発生部３６による風量を充分に得ることができる。その結果、冷却部３は、表示部１および制御部２を、より効率良く冷却することができる。
【００４８】
また、表示装置１００は、より好ましくは、矢符Ｙ方向において、表示部１の矢符Ｙ方向下流側端部と第１天井部３１の矢符Ｙ方向下流側端部との距離が、矢符Ｙ方向における表示部１の長さの０％以上２０％以下となるように構成される冷却部３を備える。これによって、表示部１の矢符Ｙ方向下流側端部を、より効率良く冷却することができる。なお、上記の距離が表示部１の長さの０％となるのは、表示部１の矢符Ｙ方向下流側端部と第１天井部３１の矢符Ｙ方向下流側端部とが、矢符Ｙ方向において同じ位置にあるときである。
【００４９】
表示装置１００は、矢符Ｙ方向の反対方向が鉛直方向となるように設置されることが好ましい。このように設置される場合、表示部１と制御部２との間で温められた空気は、気流発生部３６を動作させなくとも、鉛直方向上方（矢符Ｙ方向）へ向かう。したがって、このように設置された場合、気流発生部３６を動作させることで、より円滑に、外気と、表示部１と制御部２との間の空気とを、入れ換えることができる。
【００５０】
ただし、このように設置される場合、矢符Ｙ方向が鉛直方向となるように設置される場合と比較して、表示部１の矢符Ｙ方向下流側の冷却効率が落ちるおそれがある。したがって、上記のように、矢符Ｙ方向において、表示部１の矢符Ｙ方向下流側端部と第１天井部３１の矢符Ｙ方向下流側端部との距離が、矢符Ｙ方向における表示部１の長さの０％以上２０％以下となるように冷却部３が構成されていることが好ましい。
【００５１】
なお、冷却部３は、矢符Ｙ方向において、表示部１の矢符Ｙ方向上流側端部と第１天井部３１の矢符Ｙ方向上流側端部との距離が、矢符Ｙ方向における表示部１の長さの５％以上２０％以下となるように構成されることが好ましい。また、冷却部３は、矢符Ｘ方向における第１通風路４１の長さが、矢符Ｘ方向における表示部１の長さの５０％以上９５％以下となるように構成されることが好ましい。
【００５２】
次に、本発明の第２実施形態である表示装置２００について説明する。図３は、表示装置２００を示す模式図である。図３において、矢符Ｘは、表示装置２００に含まれる表示部１の長手方向のうちの一方向を示している。矢符Ｙは、表示部１の幅方向のうちの一方向を示している。矢符Ｚは、表示部１の厚さ方向のうちの一方向を示している。図４は、表示装置２００の断面を模式的に示す図である。図４は、図３に示す切断面線Ｂ−Ｂで表示装置２００を切断した場合を想定したものである。切断面線Ｂ−Ｂは、表示部１を矢符Ｘ方向において２つに分ける面を示す線である。
【００５３】
表示装置２００は、表示部１と、制御部２と、冷却部１０３とを備える。表示部１および制御部２は、第１実施形態と共通するので、説明を省略する。冷却部１０３は、第１天井部１３１と、第２天井部１３２と、第３天井部１３３と、第１連結部１３４と、第２連結部１３５と、気流発生部１３６と、側部１３７と、補強部材１３８とから構成される。
【００５４】
第１天井部１３１は、非表示面１Ｂとともに所定の通風面積Ｓ１を有する第１通風路１４１を形成する部材である。本実施形態の第１天井部１３１は、非表示面１Ｂに対して主面が平行となるように設けられる平板状部材である。第１天井部１３１における第１通風路１４１に臨む面とは反対側の面である制御部設置面１３１Ａに、制御部２が設けられる。
【００５５】
第２天井部１３２は、非表示面１Ｂとともに所定の通風面積Ｓ２を有する第２通風路１４２を形成する部材である。本実施形態の第２天井部１３２は、非表示面１Ｂに対して主面が平行となるように設けられる平板状部材である。なお、本実施形態は、第１通風路１４１と第２通風路１４２とにおいて、矢符Ｘ方向の長さが等しくなるように構成されている。
【００５６】
第３天井部１３３は、非表示面１Ｂとともに第３通風路１４３を形成する部材である。なお、本実施形態は、第１通風路１４１と第３通風路１４３とにおいて、矢符Ｘ方向の長さが等しくなるように構成されている。
【００５７】
本実施形態の第３天井部１３３は、非表示面１Ｂに対して主面が平行となるように設けられる平板状部材である。第３天井部１３３には、気流発生部１３６を介して外気に開放される吐出口１３３Ａが形成される。本実施形態では、冷却部１０３における１つの面に、吐出口１３３Ａが２箇所形成されている。
【００５８】
第１連結部１３４は、第１天井部１３１の矢符Ｙ方向上流側端部と、第２天井部１３２の矢符Ｙ方向下流側端部とを連結する部材である。第１連結部１３４によって、第１通風路１４１と第２通風路１４２とが連通する。本実施形態では、第１連結部１３４は、第１天井部１３１の主面および第２天井部１３２の主面に対して垂直に設けられている。これによって、冷却部１０３の強度が向上する。
【００５９】
第２連結部１３５は、第１天井部１３１の矢符Ｙ方向下流側端部と、第３天井部１３３の矢符Ｙ方向上流側端部とを連結する部材である。第２連結部１３５によって、第１通風路１４１と第３通風路１４３とが連通する。
【００６０】
側部１３７は、第１天井部１３１、第２天井部１３２、および第３天井部１３３と、非表示面１Ｂとを接続する平板状部材である。側部１３７は、第１天井部１３１、第２天井部１３２、および第３天井部１３３の、矢符Ｘ方向両端部と、第３天井部１３３の矢符Ｙ方向下流側端部とに設けられる。側部１３７は、第２天井部１３２の矢符Ｙ方向上流側端部には設けられていない。すなわち、本実施形態では、冷却部１０３における１つの面に、外気を取り込むための吸込口が形成されていることになる。
【００６１】
側部１３７は、第１天井部１３１、第２天井部１３２、および第３天井部１３３と、非表示面１Ｂとを、ほぼ隙間無く接続している。したがって、第１通風路１４１、第２通風路１４２、および第３通風路１４３からなる空間は、吐出口１３３Ａおよび冷却部１０３の矢符Ｙ方向上流側端部における吸込口以外では、ほぼ密閉されている。すなわち、本実施形態の冷却部１０３は、ダクト構造となっている。
【００６２】
ダクト構造の冷却部１０３は、強度が高いので、マルチディスプレイシステムに用いられる狭額縁の表示装置の強度を向上させるのに適している。狭額縁の表示装置の裏面に冷却部１０３を設けることで、該表示装置の強度を向上させつつ、該表示装置を冷却することができる。なお、本実施形態の冷却部１０３は、箱型のダクト構造であり、強度がより高くなっている。
【００６３】
補強部材１３８は、第２天井部１３２と非表示面１Ｂとを接続する平板状部材である。補強部材１３８によって、冷却部１０３の強度は向上している。補強部材１３８は、矢符Ｘ方向における第２天井部１３２の中間位置に設けられている。したがって、本実施形態では、冷却部１０３における１つの面に、吸込口が２箇所形成されていることになる。
【００６４】
第１天井部１３１、第２天井部１３２、第３天井部１３３、第１連結部１３４、第２連結部１３５、側部１３７、および補強部材１３８は、熱伝導率が高く、かつ、剛性が高い材料から形成されることが好ましく、たとえば、炭素鋼板やアルミニウム板などの金属材料から形成される。金属材料から形成される場合、１枚の板金を用いて、折り曲げ、ビス止め、スポット溶接などによって、一体的に形成されることが好ましい。これによって、冷却部１０３の強度が向上する。
【００６５】
また、第１天井部１３１が金属材料から形成される場合、必要に応じて、制御部設置面１３１Ａと制御部２との間に、絶縁部材を設けてもいい。絶縁部材としては、熱伝導率が高いシリコングリス、シリコンシートなどが挙げられる。
【００６６】
気流発生部１３６は、吐出口１３３Ａの矢符Ｚ方向下流側に設けられ、第２通風路１４２から第１通風路１４１へ向かう気流を発生させることで、第１通風路１４１内の空気および第２通風路１４２内の空気を外気と入れ換える装置である。本実施形態では、２つの気流発生部１３６によって、冷却部１０３の矢符Ｙ方向上流側端部における２つの吸込口から、第２通風路１４２内へ外気が流入し、第２通風路１４２内の空気が第１通風路１４１、第３通風路１４３の順に矢符Ｙ方向へ移動し、２つの吐出口１３３Ａから排出される。気流発生部１３６としては、軸と軸に接続される羽根とを有し、軸が回転することで流体を移動させる扇風機を用いることができる。
【００６７】
このように、表示装置２００は、表示部１と制御部２との間に設けられる冷却部１０３において、気流発生部１３６によって、第１通風路１４１、第２通風路１４２、および第３通風路１４３内の空気が外気と交換されることで、制御部２が間接的に冷却される。したがって、外気に含まれる塵などが制御部２に付着することを、抑えることができる。
【００６８】
表示装置２００は、上述した構成に加えて、第１天井部１３１の非表示面１Ｂからの距離Ｌ１が、第２天井部１３２の非表示面１Ｂからの距離Ｌ２よりも短くなるように構成されている。距離Ｌ１は、好ましくは０．５ｃｍ以上１．５ｃｍ以下であり、距離Ｌ２は、好ましくは、１．０ｃｍ以上４．０ｃｍ以下ｃｍ以下である。
【００６９】
また、表示装置２００は、第１通風路１４１の通風面積Ｓ１が第２通風路１４２の通風面積Ｓ２よりも小さくなるように構成されている。より好ましくは、第１通風路１４１の通風面積Ｓ１に対する第２通風路１４２の通風面積Ｓ２の比Ｓ１／Ｓ２は、０．２以上０．８以下である。なお、本実施形態は、第１通風路１４１と第２通風路１４２とにおいて、矢符Ｘ方向の長さが等しくなるように構成されているので、比Ｓ１／Ｓ２は、距離Ｌ１／距離Ｌ２と同じ値になる。
【００７０】
このように構成されることで、表示装置２００は、制御部２を効率良く冷却することができる。すなわち、表示装置２００は、第１通風路１４１の通風面積Ｓ１が第２通風路１４２の通風面積Ｓ２よりも小さく構成されているので、第１通風路１４１内の空気の流速は、第２通風路１４２内よりも速くなっている。したがって、第１通風路１４１内の空気を効率良く外気と入れ換えることができ、その結果、制御部２を効率良く冷却することができる。
【００７１】
表示装置２００は、より好ましくは、吐出口１３３Ａから表示部１までの距離をＰ［ｃｍ］とし、吐出口１３３Ａの開口面積をＱ［ｃｍ２］とし、吐出口１３３Ａの開口周囲長をＲ［ｃｍ］とするときに、下記式（１）を満たすように構成される冷却部１０３を備える。
Ｐ＞Ｑ／Ｒ                                                      …（１）
【００７２】
このように構成されることで、吐出口１３３Ａ近傍の空間が確保され、気流発生部１３６による風量を充分に得ることができる。その結果、冷却部１０３は、表示部１および制御部２を、より効率良く冷却することができる。
【００７３】
また、表示装置２００は、より好ましくは、矢符Ｙ方向において、表示部１の矢符Ｙ方向下流側端部と第１天井部１３１の矢符Ｙ方向下流側端部との距離が、矢符Ｙ方向における表示部１の長さの０％以上２０％以下となるように構成される冷却部１０３を備える。これによって、表示部１の矢符Ｙ方向下流側端部を、より効率良く冷却することができる。
【００７４】
なお、冷却部１０３は、矢符Ｙ方向において、表示部１の矢符Ｙ方向上流側端部と第１天井部１３１の矢符Ｙ方向上流側端部との距離が、矢符Ｙ方向における表示部１の長さの５％以上２０％以下となるように構成されることが好ましい。また、冷却部１０３は、矢符Ｘ方向における第１通風路１４１の長さが、矢符Ｘ方向における表示部１の長さの５０％以上９５％以下となるように構成されることが好ましい。
【００７５】
次に、本発明の第３実施形態である表示装置３００について説明する。図５は、表示装置３００を示す模式図である。図５において、矢符Ｘは、表示装置３００に含まれる表示部１の長手方向のうちの一方向を示している。矢符Ｙは、表示部１の幅方向のうちの一方向を示している。矢符Ｚは、表示部１の厚さ方向のうちの一方向を示している。なお、表示装置３００の断面図は、図４と同様であるので省略する。
【００７６】
表示装置３００は、表示部１と、制御部２と、３つの冷却部１０３Ｘとを備える。表示部１および制御部２は、第１実施形態と共通するので、説明を省略する。冷却部１０３Ｘは、ダクト構造の冷却部であり、第２実施形態における冷却部１０３の第１通風路１４１、第２通風路１４２、および第３通風路１４３の、矢符Ｘ方向における長さを３分の１にしたものである。よって、冷却部１０３Ｘの詳細な説明を省略する。
【００７７】
３つの冷却部１０３Ｘは、冷却部１０３Ｘの矢符Ｙ方向上流側端部における２つの吸込口が矢符Ｘ方向に並び、かつ、第３天井部１３３Ｘに形成される２つ吐出口１３３ＡＸが矢符Ｘ方向に並ぶように、隣接して設けられている。そして、３つの冷却部１０３Ｘの各制御部設置面１３１ＡＸに亘って、制御部２が設けられている。
【００７８】
このように本実施形態では、複数の冷却部１０３Ｘが、互いに平行に設けられ、複数の冷却部１０３Ｘ上に制御部２が設けられている。これによって、表示装置３００の設置方向にかかわらず、制御部２を効率良く冷却することができる。
【００７９】
たとえば、図３に示す表示装置２００を、矢符Ｘ方向が鉛直方向となるように設置した場合を想定する。この場合、温かい空気は、冷たい空気と比較して、鉛直方向上方に向かおうとするので、温かい空気が移動しようとする方向（矢符Ｘ方向）と、気流発生部１３６によって空気を動かそうとする方向（矢符Ｙ方向）とが直交することになり、空気の流れが滑らかではなくなり、第１通風路１４１内および第２通風路１４２内の空気が停留するおそれがある。
【００８０】
これに対して、本実施形態では、１つの表示部１に対して複数の冷却部１０３Ｘを設けることで、各冷却部１０３Ｘにおける、第１通風路の通風面積および第２通風路の通風面積が小さくなり、気流発生部１３６Ｘによって空気を移動させ易くなるので、空気が停留する可能性を減らすことができる。したがって、表示装置３００は、表示装置３００の設置方向にかかわらず、制御部２を効率良く冷却することができる。
【００８１】
また、ダクト構造の冷却部１０３Ｘが、表示部１に複数接続されているので、表示装置３００の強度は、表示装置１００，２００と比較して高くなっている。
【００８２】
次に、本発明の第４実施形態である表示装置４００について説明する。図６は、表示装置４００を示す模式図である。図６において、矢符Ｘは、表示装置４００に含まれる表示部１の長手方向のうちの一方向を示している。矢符Ｙは、表示部１の幅方向のうちの一方向を示している。矢符Ｚは、表示部１の厚さ方向のうちの一方向を示している。図７は、表示装置４００の断面を模式的に示す図である。図７は、図６に示す切断面線Ｃ−Ｃで表示装置４００を切断した場合を想定したものである。切断面線Ｃ−Ｃは、表示部１を矢符Ｘ方向において２つに分ける面を示す線である。
【００８３】
表示装置４００は、表示部１と、制御部２と、冷却部３０３とを備える。表示部１および制御部２は、第１実施形態と共通するので、説明を省略する。冷却部３０３は、第１天井部３３１と、第２天井部３３２と、第３天井部３３３と、第１連結部３３４と、第２連結部３３５と、気流発生部３３６と、側部３３７と、補強部材３３８とから構成される。
【００８４】
第１天井部３３１は、非表示面１Ｂとともに所定の通風面積Ｓ１を有する第１通風路３４１を形成する部材である。本実施形態の第１天井部３３１は、非表示面１Ｂに対して主面が平行となるように設けられる平板状部材である。第１天井部３３１における第１通風路３４１に臨む面とは反対側の面である制御部設置面３３１Ａに、制御部２が設けられる。
【００８５】
第２天井部３３２は、非表示面１Ｂとともに所定の通風面積Ｓ２を有する第２通風路３４２を形成する部材である。本実施形態の第２天井部３３２は、非表示面１Ｂに対して主面が平行となるように設けられる平板状部材である。なお、本実施形態は、第１通風路３４１と第２通風路３４２とにおいて、矢符Ｘ方向の長さが等しくなるように構成されている。
【００８６】
第３天井部３３３は、非表示面１Ｂとともに第３通風路３４３を形成する部材である。なお、本実施形態は、第１通風路３４１と第３通風路３４３とにおいて、矢符Ｘ方向の長さが等しくなるように構成されている。本実施形態の第３天井部３３３は、非表示面１Ｂに対して主面が平行となるように設けられる平板状部材である。
【００８７】
第１連結部３３４は、第１天井部３３１の矢符Ｙ方向上流側端部と、第２天井部３３２の矢符Ｙ方向下流側端部とを連結する部材である。第１連結部３３４によって、第１通風路３４１と第２通風路３４２とが連通する。本実施形態では、第１連結部３３４は、第１天井部３３１の主面および第２天井部３３２の主面に対して垂直に設けられている。これによって、冷却部３０３の強度が向上する。
【００８８】
第２連結部３３５は、第１天井部３３１の矢符Ｙ方向下流側端部と、第３天井部３３３の矢符Ｙ方向上流側端部とを連結する部材である。第２連結部３３５によって、第１通風路３４１と第３通風路３４３とが連通する。
【００８９】
側部３３７は、第１天井部３３１、第２天井部３３２、および第３天井部３３３と、非表示面１Ｂとを接続する平板状部材である。側部３３７は、第１天井部３３１、第２天井部３３２、および第３天井部３３３の、矢符Ｘ方向両端部と、第３天井部３３３の矢符Ｙ方向下流側端部とに設けられる。側部３３７は、第２天井部３３２の矢符Ｙ方向上流側端部には設けられていない。すなわち、本実施形態では、冷却部３０３における１つの面に、外気を取り込むための吸込口が形成されていることになる。
【００９０】
第３天井部３３３の矢符Ｙ方向下流側端部に設けられる側部３３７には、気流発生部３３６を介して外気に開放される吐出口３３７Ａが形成される。本実施形態では、冷却部３０３における１つの面に、吐出口３３７Ａが２箇所形成されている。
【００９１】
側部３３７は、第１天井部３３１、第２天井部３３２、および第３天井部３３３と、非表示面１Ｂとを、ほぼ隙間無く接続している。したがって、第１通風路３４１、第２通風路３４２、および第３通風路３４３からなる空間は、吐出口３３７Ａおよび冷却部３０３の矢符Ｙ方向上流側端部における吸込口以外では、ほぼ密閉されている。すなわち、本実施形態の冷却部３０３は、ダクト構造となっている。
【００９２】
ダクト構造の冷却部３０３は、強度が高いので、マルチディスプレイシステムに用いられる狭額縁の表示装置の強度を向上させるのに適している。狭額縁の表示装置の裏面に冷却部３０３を設けることで、該表示装置の強度を向上させつつ、該表示装置を冷却することができる。なお、本実施形態の冷却部３０３は、箱型のダクト構造であり、強度がより高くなっている。
【００９３】
補強部材３３８は、第２天井部３３２と非表示面１Ｂとを接続する平板状部材である。補強部材３３８によって、冷却部３０３の強度は向上している。補強部材３３８は、矢符Ｘ方向における第２天井部３３２の中間位置に設けられている。したがって、本実施形態では、冷却部３０３における１つの面に、吸込口が２箇所形成されていることになる。
【００９４】
第１天井部３３１、第２天井部３３２、第３天井部３３３、第１連結部３３４、第２連結部３３５、側部３３７、および補強部材３３８は、熱伝導率が高く、かつ、剛性が高い材料から形成されることが好ましく、たとえば、炭素鋼板やアルミニウム板などの金属材料から形成される。金属材料から形成される場合、１枚の板金を用いて、折り曲げ、ビス止め、スポット溶接などによって、一体的に形成されることが好ましい。これによって、冷却部３０３の強度が向上する。
【００９５】
また、第１天井部３３１が金属材料から形成される場合、必要に応じて、制御部設置面３３１Ａと制御部２との間に、絶縁部材を設けてもいい。絶縁部材としては、熱伝導率が高いシリコングリス、シリコンシートなどが挙げられる。
【００９６】
気流発生部３３６は、吐出口３３７Ａの矢符Ｙ方向下流側に設けられ、第２通風路３４２から第１通風路３４１へ向かう気流を発生させることで、第１通風路３４１内の空気および第２通風路３４２内の空気を外気と入れ換える装置である。本実施形態では、２つの気流発生部３３６によって、冷却部３０３の矢符Ｙ方向上流側端部における２つの吸込口から、第２通風路３４２内へ外気が流入し、第２通風路３４２内の空気が第１通風路３４１、第３通風路３４３の順に矢符Ｙ方向へ移動し、２つの吐出口３３７Ａから排出される。気流発生部３３６としては、軸と軸に接続される羽根とを有し、軸が回転することで流体を移動させる扇風機を用いることができる。
【００９７】
このように、表示装置４００は、表示部１と制御部２との間に設けられる冷却部３０３において、気流発生部３３６によって、第１通風路３４１、第２通風路３４２、および第３通風路３４３内の空気が外気と交換されることで、制御部２が間接的に冷却される。したがって、外気に含まれる塵などが制御部２に付着することを、抑えることができる。
【００９８】
表示装置４００は、上述した構成に加えて、第１天井部３３１の非表示面１Ｂからの距離Ｌ１が、第２天井部３３２の非表示面１Ｂからの距離Ｌ２よりも短くなるように構成されている。距離Ｌ１は、好ましくは０．５ｃｍ以上１．５ｃｍ以下であり、距離Ｌ２は、好ましくは、１．０ｃｍ以上４．０ｃｍ以下ｃｍ以下である。
【００９９】
また、表示装置４００は、第１通風路３４１の通風面積Ｓ１が第２通風路３４２の通風面積Ｓ２よりも小さくなるように構成されている。より好ましくは、第１通風路３４１の通風面積Ｓ１に対する第２通風路３４２の通風面積Ｓ２の比Ｓ１／Ｓ２は、０．２以上０．８以下である。なお、本実施形態は、第１通風路３４１と第２通風路３４２とにおいて、矢符Ｘ方向の長さが等しくなるように構成されているので、比Ｓ１／Ｓ２は、距離Ｌ１／距離Ｌ２と同じ値になる。
【０１００】
このように構成されることで、表示装置４００は、制御部２を効率良く冷却することができる。すなわち、表示装置４００は、第１通風路３４１の通風面積Ｓ１が第２通風路３４２の通風面積Ｓ２よりも小さく構成されているので、第１通風路３４１内の空気の流速は、第２通風路３４２内よりも速くなっている。したがって、第１通風路３４１内の空気を効率良く外気と入れ換えることができ、その結果、制御部２を効率良く冷却することができる。
【０１０１】
本実施形態では、第３天井部３３３の矢符Ｙ方向下流側端部に設けられる側部３３７に、吐出口３３７Ａが形成されている。したがって、吐出口３３７Ａから流れ出る空気は、矢符Ｙ方向に移動する。よって、表示装置４００の冷却部３０３側に、すなわち、表示装置４００の背面側に、熱に弱い部材が配置されていても、吐出口３３７Ａから流れ出る比較的温度の高い空気はその物体に直接触れないので、その部材の劣化を防ぐことができる。たとえば、表示装置４００が家屋内に設置された場合において、表示装置４００の背面側に家屋の壁があったとしても、壁の劣化を防ぐことができる。
【０１０２】
表示装置４００は、より好ましくは、矢符Ｙ方向において、表示部１の矢符Ｙ方向下流側端部と第１天井部３３１の矢符Ｙ方向下流側端部との距離が、矢符Ｙ方向における表示部１の長さの０％以上２０％以下となるように構成される冷却部３０３を備える。これによって、表示部１の矢符Ｙ方向下流側端部を、より効率良く冷却することができる。
【０１０３】
なお、冷却部３０３は、矢符Ｙ方向において、表示部１の矢符Ｙ方向上流側端部と第１天井部３３１の矢符Ｙ方向上流側端部との距離が、矢符Ｙ方向における表示部１の長さの５％以上２０％以下となるように構成されることが好ましい。また、冷却部３０３は、矢符Ｘ方向における第１通風路３４１の長さが、矢符Ｘ方向における表示部１の長さの５０％以上９５％以下となるように構成されることが好ましい。
【０１０４】
次に、本発明の第５実施形態である表示装置５００について説明する。図８は、表示装置５００を示す模式図である。図８において、矢符Ｘは、表示装置５００に含まれる表示部１の長手方向のうちの一方向を示している。矢符Ｙは、表示部１の幅方向のうちの一方向を示している。矢符Ｚは、表示部１の厚さ方向のうちの一方向を示している。図９は、表示装置５００の断面を模式的に示す図である。図９は、図８に示す切断面線Ｄ−Ｄで表示装置５００を切断した場合を想定したものである。切断面線Ｄ−Ｄは、表示部１を矢符Ｘ方向において２等分する面を示す線である。
【０１０５】
表示装置５００は、表示部１と、制御部２と、冷却部４０３とを備える。表示部１および制御部２は、第１実施形態と共通するので、説明を省略する。冷却部４０３は、第１天井部４３１と、第２天井部４３２と、第３天井部４３３と、第１連結部４３４と、第２連結部４３５と、気流発生部４３６と、側部４３７とから構成される。
【０１０６】
第１天井部４３１は、非表示面１Ｂとともに所定の通風面積Ｓ１を有する第１通風路４４１を形成する部材である。本実施形態の第１天井部４３１は、非表示面１Ｂに対して主面が平行となるように設けられる平板状部材である。第１天井部４３１における第１通風路４４１に臨む面とは反対側の面である制御部設置面４３１Ａに、制御部２が設けられる。
【０１０７】
第２天井部４３２は、非表示面１Ｂとともに所定の通風面積Ｓ２を有する第２通風路４４２を形成する部材である。本実施形態の第２天井部４３２は、非表示面１Ｂに対して主面が平行となるように設けられる平板状部材である。なお、本実施形態は、第１通風路４４１と第２通風路４４２とにおいて、矢符Ｘ方向の長さが等しくなるように構成されている。
【０１０８】
第２天井部４３２には、外気に開放される吸込口４３２Ａが形成される。本実施形態では、冷却部４０３における１つの面に、吸込口４３２Ａが３箇所形成されている。吸込口４３２Ａは、可能な限り大きく形成されることが好ましい。
【０１０９】
第３天井部４３３は、非表示面１Ｂとともに第３通風路４４３を形成する部材である。なお、本実施形態は、第１通風路４４１と第３通風路４４３とにおいて、矢符Ｘ方向の長さが等しくなるように構成されている。
【０１１０】
本実施形態の第３天井部４３３は、非表示面１Ｂに対して主面が平行となるように設けられる平板状部材である。第３天井部４３３には、気流発生部４３６を介して外気に開放される吐出口４３３Ａが形成される。本実施形態では、冷却部４０３における１つの面に、吐出口４３３Ａが１箇所形成されている。
【０１１１】
第１連結部４３４は、第１天井部４３１の矢符Ｙ方向上流側端部と、第２天井部４３２の矢符Ｙ方向下流側端部とを連結する部材である。第１連結部４３４によって、第１通風路４４１と第２通風路４４２とが連通する。本実施形態では、第１連結部４３４は、第１天井部４３１の主面および第２天井部４３２の主面に対して垂直に設けられている。これによって、冷却部４０３の強度が向上する。
【０１１２】
第２連結部４３５は、第１天井部４３１の矢符Ｙ方向下流側端部と、第３天井部４３３の矢符Ｙ方向上流側端部とを連結する部材である。第２連結部４３５によって、第１通風路４４１と第３通風路４４３とが連通する。
【０１１３】
側部４３７は、第１天井部４３１、第２天井部４３２、および第３天井部４３３と、非表示面１Ｂとを接続する平板状部材である。側部４３７は、第１天井部４３１、第２天井部４３２、および第３天井部４３３の、矢符Ｘ方向両端部と、第２天井部４３２の、矢符Ｙ方向上流側端部と、第３天井部４３３の、矢符Ｙ方向下流側端部とに設けられる。側部４３７は、第１天井部４３１、第２天井部４３２、および第３天井部４３３と、非表示面１Ｂとを、ほぼ隙間無く接続している。したがって、第１通風路４４１、第２通風路４４２、および第３通風路４４３からなる空間は、吸込口４３２Ａおよび吐出口４３３Ａ以外では、ほぼ密閉されている。すなわち、本実施形態の冷却部４０３は、ダクト構造となっている。
【０１１４】
ダクト構造の冷却部４０３は、強度が高いので、マルチディスプレイシステムに用いられる狭額縁の表示装置の強度を向上させるのに適している。狭額縁の表示装置の裏面に冷却部４０３を設けることで、該表示装置の強度を向上させつつ、該表示装置を冷却することができる。なお、本実施形態の冷却部４０３は、箱型のダクト構造であり、強度がより高くなっている。
【０１１５】
第１天井部４３１、第２天井部４３２、第３天井部４３３、第１連結部４３４、第２連結部４３５、および側部４３７は、熱伝導率が高く、かつ、剛性が高い材料から形成されることが好ましく、たとえば、炭素鋼板やアルミニウム板などの金属材料から形成される。金属材料から形成される場合、１枚の板金を用いて、折り曲げ、ビス止め、スポット溶接などによって、一体的に形成されることが好ましい。これによって、冷却部４０３の強度が向上する。
【０１１６】
また、第１天井部４３１が金属材料から形成される場合、必要に応じて、制御部設置面４３１Ａと制御部２との間に、絶縁部材を設けてもいい。絶縁部材としては、熱伝導率が高いシリコングリス、シリコンシートなどが挙げられる。
【０１１７】
気流発生部４３６は、吐出口４３３Ａの矢符Ｚ方向下流側に設けられ、第２通風路４４２から第１通風路４４１へ向かう気流を発生させることで、第１通風路４４１内の空気および第２通風路４４２内の空気を外気と入れ換える装置である。本実施形態では、気流発生部４３６によって、冷却部４０３の矢符Ｙ方向上流側端部から、第２通風路４４２内へ外気が流入し、第２通風路４４２内の空気が第１通風路４４１、第３通風路４４３の順に矢符Ｙ方向へ移動し、吐出口４３３Ａから排出される。気流発生部４３６としては、軸と軸に接続される羽根とを有し、軸が回転することで流体を移動させる扇風機を用いることができる。
【０１１８】
このように、表示装置５００は、表示部１と制御部２との間に設けられる冷却部４０３において、気流発生部４３６によって、第１通風路４４１、第２通風路４４２、および第３通風路４４３内の空気が外気と交換されることで、制御部２が間接的に冷却される。したがって、外気に含まれる塵などが制御部２に付着することを、抑えることができる。
【０１１９】
表示装置５００は、上述した構成に加えて、第１天井部４３１の非表示面１Ｂからの距離Ｌ１が、第２天井部４３２の非表示面１Ｂからの距離Ｌ２よりも短くなるように構成されている。距離Ｌ１は、好ましくは０．５ｃｍ以上１．５ｃｍ以下であり、距離Ｌ２は、好ましくは、１．０ｃｍ以上４．０ｃｍ以下ｃｍ以下である。
【０１２０】
また、表示装置５００は、第１通風路４４１の通風面積Ｓ１が第２通風路４４２の通風面積Ｓ２よりも小さくなるように構成されている。より好ましくは、第１通風路４４１の通風面積Ｓ１に対する第２通風路４４２の通風面積Ｓ２の比Ｓ１／Ｓ２は、０．２以上０．８以下である。なお、本実施形態は、第１通風路４４１と第２通風路４４２とにおいて、矢符Ｘ方向の長さが等しくなるように構成されているので、比Ｓ１／Ｓ２は、距離Ｌ１／距離Ｌ２と同じ値になる。
【０１２１】
このように構成されることで、表示装置５００は、制御部２を効率良く冷却することができる。すなわち、表示装置５００は、第１通風路４４１の通風面積Ｓ１が第２通風路４４２の通風面積Ｓ２よりも小さく構成されているので、第１通風路４４１内の空気の流速は、第２通風路４４２内よりも速くなっている。したがって、第１通風路４４１内の空気を効率良く外気と入れ換えることができ、その結果、制御部２を効率良く冷却することができる。
【０１２２】
表示装置５００は、より好ましくは、吐出口４３３Ａから表示部１までの距離をＰ［ｃｍ］とし、吐出口４３３Ａの開口面積をＱ［ｃｍ２］とし、吐出口４３３Ａの開口周囲長をＲ［ｃｍ］とするときに、下記式（１）を満たすように構成される冷却部４０３を備える。
Ｐ＞Ｑ／Ｒ                                                      …（１）
【０１２３】
このように構成されることで、吐出口４３３Ａ近傍の空間が確保され、気流発生部４３６による風量を充分に得ることができる。その結果、冷却部４０３は、表示部１および制御部２を、より効率良く冷却することができる。
【０１２４】
また、表示装置５００は、より好ましくは、矢符Ｙ方向において、表示部１の矢符Ｙ方向下流側端部と第１天井部４３１の矢符Ｙ方向下流側端部との距離が、矢符Ｙ方向における表示部１の長さの０％以上２０％以下となるように構成される冷却部４０３を備える。これによって、表示部１の矢符Ｙ方向下流側端部を、より効率良く冷却することができる。
【０１２５】
なお、冷却部４０３は、矢符Ｙ方向において、表示部１の矢符Ｙ方向上流側端部と第１天井部４３１の矢符Ｙ方向上流側端部との距離が、矢符Ｙ方向における表示部１の長さの５％以上２０％以下となるように構成されることが好ましい。また、冷却部４０３は、矢符Ｘ方向における第１通風路４４１の長さが、矢符Ｘ方向における表示部１の長さの５０％以上９５％以下となるように構成されることが好ましい。
【０１２６】
次に、本発明の第６実施形態である表示装置６００について説明する。図１０は、表示装置６００を示す模式図である。図１０において、矢符Ｘは、表示装置６００に含まれる表示部１の長手方向のうちの一方向を示している。矢符Ｙは、表示部１の幅方向のうちの一方向を示している。矢符Ｚは、表示部１の厚さ方向のうちの一方向を示している。なお、表示部１を矢符Ｘ方向において２等分する切断面で表示装置６００を切断したときの断面図は、図９と同様であるので省略する。
【０１２７】
表示装置６００は、表示部１と、制御部２と、３つの冷却部４０３Ｘとを備える。表示部１および制御部２は、第１実施形態と共通するので、説明を省略する。冷却部４０３Ｘは、ダクト構造の冷却部であり、第５実施形態における冷却部４０３の第１通風路４４１、第２通風路４４２、および第３通風路４４３の、矢符Ｘ方向における長さを３分の１にしたものである。よって、冷却部４０３Ｘの詳細な説明を省略する。
【０１２８】
３つの冷却部４０３Ｘは、第２天井部４３２Ｘに形成される３つの吸込口４３２ＡＸが矢符Ｘ方向に並び、かつ、第３天井部４３３Ｘに形成される吐出口４３３ＡＸが矢符Ｘ方向に並ぶように、隣接して設けられている。そして、３つの冷却部４０３Ｘの各制御部設置面４３１ＡＸに亘って、制御部２が設けられている。
【０１２９】
このように本実施形態では、複数の冷却部４０３Ｘが、互いに平行に設けられ、複数の冷却部４０３Ｘ上に制御部２が設けられている。これによって、表示装置６００の設置方向にかかわらず、制御部２を効率良く冷却することができる。すなわち、本実施形態では、１つの表示部１に対して複数の冷却部４０３Ｘを設けることで、各冷却部４０３Ｘにおける、第１通風路の通風面積および第２通風路の通風面積が小さくなり、気流発生部４３６Ｘによって空気を移動させ易くなるので、空気が停留する可能性を減らすことができる。したがって、表示装置６００は、表示装置６００の設置方向にかかわらず、制御部２を効率良く冷却することができる。
【０１３０】
また、ダクト構造の冷却部４０３Ｘが、表示部１に複数接続されているので、表示装置６００の強度は、表示装置５００と比較して高くなっている。
【符号の説明】
【０１３１】
１  表示部
１Ａ  表示面
１Ｂ  非表示面
２  制御部
３，１０３，３０３，４０３  冷却部
３１，１３１，３３１，４３１  第１天井部
３１Ａ，１３１Ａ，１３１ＡＸ，３３１Ａ，４３１Ａ，４３１ＡＸ  制御部設置面
３２，１３２，１３２Ｘ，３３２，４３２，４３２Ｘ  第２天井部
３３，１３３，１３３Ｘ，３３３，４３３，４３３Ｘ  第３天井部
３３Ａ，１３３Ａ，１３３ＡＸ，３３７Ａ，４３３Ａ，４３３ＡＸ  吐出口
３４，１３４，３３４，４３４  第１連結部
３５，１３５，３３５，４３５  第２連結部
３６，１３６，１３６Ｘ，３３６，４３６，４３６Ｘ  気流発生部
３７，１３７，３３７，４３７  側部
４１，１４１，３４１，４４１  第１通風路
４２，１４２，３４２，４４２第２通風路
１００，２００，３００，４００，５００，６００  表示装置
４３２Ａ，４３２ＡＸ  吸込口
【図１】
2012042762.tif 000003
【図２】
2012042762.tif 000004
【図３】
2012042762.tif 000005
【図４】
2012042762.tif 000006
【図５】
2012042762.tif 000007
【図６】
2012042762.tif 000008
【図７】
2012042762.tif 000009
【図８】
2012042762.tif 000010
【図９】
2012042762.tif 000011
【図１０】
2012042762.tif 000012